(57)【特許請求の範囲】
【請求項１】
筐体に形成される収納部に対して出し入れ可能な引出しを備えた引出し式収納装置において、最下段引出しを構成する底板の下側であって床に近い高さ位置に、当該最下段引出しに対して同じ方向に引出し、収納可能であるとともに、引出し端側にバンパが取り付けてある棚板と、収納位置にある前記棚板を引出しに背反的に係留または開放するプッシュラッチと、前記棚板を引出しから突出する方向に押し付ける弾性体とを備えたことを特徴とする引出し式収納装置。
【請求項２】
最下段引出しの引出し量のいかんに拘らず、棚板を当該最下段引出しに対して引出し、収納可能としている請求項１記載の引出し式収納装置。
【請求項３】
棚板は、反引出し端側を棚板レール機構を介して前記筐体に支持されるとともに、引出し端側を転動体を介して床に支持される請求項１又は２記載の引出し式収納装置。
【請求項４】
棚板レール機構は、筐体を構成する左右の側壁の幅方向の内寸以内に収まっている請求項３記載の引出し式収納装置。
【請求項５】
棚板レール機構は、筐体を構成する左右の側壁の高さ方向の内寸以内に収まっている請求項３又は４記載の引出し式収納装置。
【請求項６】
棚板は更に、反引出し端側を第２転動体を介して床に支持されている請求項３〜５の何れかに記載の引出し式収納装置。
【請求項７】
最下段引出しの荷重の一部が前記棚板の転動体に間接的に支持される構造をなす請求項３〜６の何れかに記載の引出し式収納装置。
【請求項８】
引出しの引き手が鏡板の側縁又は上縁に設定してある請求項１〜７の何れかに記載の引出し式収納装置。
【請求項９】
棚板の収納位置で、バンパは引出しを構成する鏡板の前面から突出した状態にある請求項１〜８の何れかに記載の引出し式収納装置。
【請求項１０】
バンパは、棚板に対して少なくとも幅方向若しくは上下方向に突出した部位を有し、その突出した部位の背面が指を掛けて引き出す際に引き手となる操作部に設定されている請求項９記載の引出し式収納装置。
【発明の詳細な説明】
【技術分野】
【０００１】
本発明は、鞄等の物品を適切に配置できる場所を確保したワゴンや袖などの引出し式収納装置に関するものである。
【背景技術】
【０００２】
この種の引出し式収納装置として、デスクの下肢空間に配置されるワゴンや袖等が挙げられる。このような引出し式収納装置は、筐体の収納部に出し入れ可能に複数段の引出しを配置し、文房具やファイル、書類など必要なものを保管できるように構成されている。特に、このような引出し式収納装置の内部を最大限に活用するために、ファイルの大きさに応じた区分けをしたり、引出しの奥に生ずるデッドスペースを有効利用できるようにするなど、種々の提案がなされている（例えば特許文献１参照）。
【先行技術文献】
【特許文献】
【０００３】
【特許文献１】特許第４２８９１６５号公報
【発明の概要】
【発明が解決しようとする課題】
【０００４】
ところで、業務に直接関係がない物品、例えば鞄などは、ロッカーに収納することも多いが、ロッカーがない場合や、ロッカーがあってもハンカチやティッシュ、化粧用具など比較的頻繁に使用するものを収容している場合には、執務中であっても身近に置いておきたい場合がある。しかしながら、天板上に載置すると邪魔であり、引出しも既に種々の物品が収納されていて入れる場所がない場合が多く、場所があったとしても嵩張り、また鞄等は柔らかいため潰れ易い。デスクの下肢空間の奥にこのような物品を隠し込んでおくことも考えられるが、足で蹴り易い場所であるし、既に書類等の保管場所として使用されている場合もあり、目立たない場所であるために退社時に忘れて帰ること等も起こり得る。
【０００５】
本発明は、このような鞄のごとき物品に定位置を与えるために有用となる新たな構造を備えた引出し式収納装置を提供することを目的としている。
【課題を解決するための手段】
【０００６】
本発明は、かかる目的を達成するために、次のような手段を講じたものである。
【０００７】
すなわち、本発明の引出し式収納装置は、筐体に形成される収納部に対して出し入れ可能な引出しと、最下段引出しを構成する底板の下側であって床に近い高さ位置に、当該最下段引出しに対して同じ方向に引出し、収納可能であるとともに、引出し端側にバンパが取り付けてある棚板と、収納位置にある前記棚板を引出しに背反的に係留または開放するプッシュラッチと、前記棚板を引出しから突出する方向に押し付ける弾性体とを備えたことを特徴とする。
【０００８】
このように構成することで、最下段引出しの前方に鞄等の物品を載置するスペースが新たに形成されるので、下肢空間のアクセスし難い場所や引出し内の狭小なスペースに物品を押し込んだり、天板上の業務の妨げになる位置に物品を載置するなどの不都合を解消して、鞄等の物品のために適切な定位置を確保することが可能となる。
【０００９】
また、収納位置にある棚板を引出しに背反的に係留または開放するプッシュラッチと、棚板を引出しから突出する方向に押し付ける弾性体とを備えていることから、棚板を押し込むだけで係留を解除して飛び出させ、再び押し込むだけで収納位置に保持することができ、使い勝手を極めて簡便なものにすることができる。
【００１０】
さらに、棚板の引出し端側にバンパが取り付けてあることから、足で蹴って出し入れ状態を切り替えることができ、操作性をより一層良好にすることができる。
【００１１】
棚板を出し入れする際の位置的制約を極力減らすためには、最下段引出しの引出し量のいかんに拘らず、棚板を当該最下段引出しに対して引出し、収納可能としていることが望ましい。
【００１２】
棚板の円滑な出し入れ状態と、上載荷重に対する適切な支持強度とを確保するためには、棚板は、反引出し端側を棚板レール機構を介して前記筐体に支持されるとともに、引出し端側を転動体を介して床に支持されていることが好ましい。
【００１３】
棚板レール機構を筐体内に適切に収納することを可能とするためには、当該棚板レール機構は、筐体を構成する左右の側壁の幅方向の内寸以内に収まっていることが適切である。
【００１４】
同様に、棚板レール機構を筐体内に適切に収納することを可能とするためには、棚板レール機構は、筐体を構成する左右の側壁の高さ方向の内寸以内に収まっていることが望ましい。
【００１５】
上載荷重を適切に分散させるためには、棚板は更に、反引出し端側を第２転動体を介して床に支持されていることが好ましい。
【００１６】
具体的な実施の態様としては、最下段引出しの荷重の一部が前記棚板の転動体に間接的に支持される構造をなしていることも好適である。
【００１７】
引き出した棚板上に鞄等の物品が載置されていても、引出しに対する開閉操作を適切に行うためには、引出しの引き手が鏡板の側縁又は上縁に設定してあることが好ましい。
【００１８】
この場合、引出しの鏡板が損傷することを防止するためには、棚板の収納位置で、バンパが引出しを構成する鏡板の前面から突出した状態にあることが好ましい。
【００１９】
プッシュラッチ等の機能を適切に補助するためには、バンパは、棚板に対して幅方向若しくは上下方向に突出した部位を有し、その突出した部位の背面が指を掛けて引き出すための操作部とされていることが望ましい。
【発明の効果】
【００２０】
本発明は、以上説明したように、最下段引出しの前方に鞄等の物品を載置するスペースが新たに形成されるので、天板上の邪魔になる箇所に物品を載置したり、下肢空間のアクセスし難い場所、引出し内の狭小なスペースに物品を押し込む等の不都合を解消して、鞄等の物品のために適切な定位置を確保することが可能となる。
【図面の簡単な説明】
【００２１】
【図１】本発明の一実施形態に係るワゴンを、引出し及び棚板を引き出した状態で示す斜視図。
【図２】同ワゴンを、引出し及び棚板を押し込んだ状態で示す斜視図。
【図３】同実施形態における筐体と引出しと棚板の関係を示す正断面図。
【図４】同実施形態における筐体と引出しと棚板の関係を示す側面図。
【図５】同実施形態に係るワゴンの使用例を示す斜視図。
【図６】同実施形態に係るワゴンの他の使用例を示す側面図。
【図７】本発明の他の実施形態を示す側面図。
【発明を実施するための形態】
【００２２】
以下、本発明の一実施形態を、図面を参照して説明する。
【００２３】
図１に示すものは、オフィス等で使用される机１に引出し式収納装置であるワゴン２を付帯させたものである。本実施形態の机１は、天板１１と、この天板１１を支持する左右両側の脚側板１２ａ、１２ｂとを具備し、これらに囲まれた部位に下肢空間Ａを形成するものである。
【００２４】
ワゴン２は、前記下肢空間Ａに対して出し入れ可能なもので、筐体２０と、この筐体２０内に収容される複数段の引出し３、４とを主要な構成要素とする。
【００２５】
筐体２０は、図２及び図３に示すように、引出し３、４を収納すべく、左右の側壁２１ａ、２１ｂ、上壁２２、底壁２３及び背壁２５によって収納部２Ａを形成し、その収納部２Ａの前面を開口させている。そして、その開口を介して、収納部２Ａに上下２段の引出し３、４を配している。
【００２６】
図２、図３及び図４に示すように、最下段の引出しとなる下段引出し３は、底板３１と、底板３１の両側縁部より立ち上がる一対の側板３２ａ、３２ｂと、底板３１及び両側板３２ａ、３２ｂの後方に接合された後板３３と、底板３１及び両側板３２ａ、３２ｂの前縁に接合された鏡板３４とを備え、これら底板３１、側板３２ａ、３２ｂ、後板３３及び鏡板３４によって包囲される収納空間３Ａを有している。この実施形態では、図１に示すように、左右の側板３２ａ、３２ｂの高さ寸法３２Ｚを鏡板３４の高さ寸法３４Ｚとほぼ同じ値に設定している。
【００２７】
図３に示すように、筐体２０の両側壁２１ａ、２１ｂの内向面２１１、２１２おける下段引出し３の対応位置には、奥行方向に延びる引出しレール機構５が設けられている。引出しレール機構５は、例えば既知のスライドレール機構、サスペンションレール機構等を採用したもので、引出しレール機構５の固定部５１ａを前記側壁２１ａ、２１ｂの内向面２１１、２１２に取り付け、可動部５２ａを引出し３の側板３２ａ、３２ｂの外面３２１、３２２に取り付けて、これら固定部５１ａと可動部５２ａとの相対移動を通じて引出し３を前後方向にスライド移動可能に支持している。
【００２８】
上段側の引出し４は、鏡板４４に鍵穴４５を有し、図示しない既知の鍵構造によって、施錠・解錠が可能とされている。上段引出し４の基本的な構成及び筐体２０への取付構造は、上記下段側の引出し３と同様であるため、説明を省略する。
【００２９】
筐体２０の底壁２３における四隅には、ワゴン２を自在に移動可能とするために、首振り機能を備えたワゴンキャスタ２４が取り付けられている。
【００３０】
このような構成において、本実施形態は、図１及び図３等に示すように、下段引出し３の下側であって床に近い高さ位置に、当該下段引出し３に対して同一方向に引出し可能な棚板６を設けている。この棚板６は、反引出し端側６Ｙｂを棚板レール機構６４を介して前記下段引出し３に支持させ、引出し端側６Ｙａを転動体たる棚板キャスタ６５を介して床に支持させたものである。
【００３１】
棚板レール機構６４は、断面コ字形の棚板レール機構固定部６４１、６４２を下段引出し３を構成する底板３１の幅方向両側に内向きに開くように取り付け、それら左右の棚板レール機構固定部６４１、６４２間に棚板６の両側縁部６０ａ、６０ｂを挿し通した既知のスライドレール構造によるものであり、これら棚板レール機構固定部６４１と棚板６との相対移動を通じて棚板６を前後にスライド移動可能に支持する。かかる棚板レール機構６４は、特に図２に示されるように、筐体２を構成する左右の側壁２１ａ、２１ｂの幅方向の内寸２Ｗ以内に収まる位置に取り付けられ、同時に、筐体２を構成する左右の側壁２１ａ、２１ｂの高さ方向の内寸２Ｚ以内に収まるように配されている。棚板６は下段引出し３に対して出し入れされるため、筐体２０に対する下段引出し３の引出し量とは無関係に引出し量を調整することができる。
【００３２】
一方、棚板キャスタ６５は、棚板６の引出し端側６Ｙａにおける裏面６０ｃの幅方向中央部を支持する位置に設けられて、棚板６の上載荷重を支持する。この実施形態の棚板キャスタ６５は、引出し時の抵抗を極力低減するために直進機能のみを備えたものが用いてある。もちろん、この棚板キャスタ６５に首振り機能を有するものを用いても構わない。棚板キャスタ６５が棚板６を持ち上げる力は、前記棚板レール機構６４を介して最下段引出し３を持ち上げる力としても作用し得るので、この棚板キャスタ６５には下段引出し３を引出した際にその前端側の荷重の一部を支持する役割をも適宜担わせることができる。棚板６が下段引出し３に押し込まれている状態において、前記棚板キャスタ６５が床から浮上しているように設定することも可能である。
【００３３】
さらに、本実施形態は、棚板６と下段引出し３との間に図２に示すプッシュラッチ６２及び弾性体たるバネ６３を設けて、棚板６をワンタッチで引き出せるように構成するとともに、棚板６に押し込み力を作用させる位置にバンパ６１を設けている。
【００３４】
プッシュラッチ６２は、一般的構造を利用したもので、棚板６の反引出し端側６Ｙｂに設けた突子６２１を下段引出し３の下面等に設けたキャッチャ６２２に背反的に捕獲させることで、収納位置にある棚板６を引出し３に係留し又はその係留状態を開放する機能を備えている。背反的とは、押し込まれた棚板６に対してこれを係留する動作と係留を解除する動作とが交互に切り替わることをいう。弾性体６３は、棚板６を筐体２０から突出する方向（引出し端側６Ｙａ）に弾性付勢する機能を備えたもので、プッシュラッチ６２に一体的に組み込まれても別体に設けられても構わない。
【００３５】
他方、バンパ６１は、ゴムや樹脂等の衝撃吸収素材を用いて構成されるもので、棚板６の引出し端側６Ｙａに設けられている。具体的には、図１、図２及び図４等に示すように、棚板６の収納位置において、下段引出し３の鏡板３４の前面から突出する状態で設けられている。バンパ６１は棚板６の幅方向に突出しており、その突出した部位の背面が、指を掛けて引き出す際の引き手となる操作部６１ａ、６１ｂに設定されている。勿論、バンパ６１は下方にも突出していることから、手を差し込むことができればその突出部の背面を操作部に設定することもできる。
【００３６】
なお、上下段の引出し３、４双方の鏡板３４、４４の側縁３６、４６は、引出し３，４を筐体２０に押し込んだ際に筐体２０との間に隙間が確保されるように設定してあり、かかる側縁を引出し３、４の引き手３６、４６として利用可能としている。鏡板３４、４４の上縁にこのような引き手を設定しても勿論構わない。
【００３７】
上記のような構成を通じて、このワゴンは、棚板６が収納位置にある図２の状態から、バンパ６１を反引出し端側６Ｙｂ方向に足で軽く蹴る（もしくは手で軽く押す）ことで、棚板６が一時的に押し込まれてプッシュラッチ６２が解除され、棚板６は弾性体６３に弾性付勢されて、図５（ａ）に示すように下段引出し３から前方に引き出される。このため、この棚板６上に鞄７等の物品を載置することが可能になる。そして、引き出した棚板６に鞄７を載せた状態のままであっても、引き手３６を操作することで、図５（ｂ）や図６に示すように下段引出し３を引き出すことができる。図５（ｂ）や図６の状態から下段引出し３を筐体２０に押し込めば再び棚板７のみが突出した図５（ａ）の状態が得られ、或いは、図５（ｂ）や図６の状態から鞄７等の物品を取り除けば、下段引出し３を引き出したままで棚板６を下段引出し３の下に押し込むことも可能である（図示省略）。
【００３８】
棚板レール機構６４のスライド抵抗やキャスタ６５の床上の走行抵抗にもよるが、棚板６を引き出した後に下段引出し３を引き出す際に、棚板６が下段引出し３との相対関係を維持したまま前方に一体に移動するように設定することなども可能である。棚板が押し込まれているときは、下段引出し３を操作しても当該下段引出し３から引き出されることはない。
【００３９】
以上のように構成される本実施形態の引出し式収納装置は、筐体２０に形成される収納部２Ａに対して出し入れ可能な引出し２、３を備えたワゴン２において、下段引出し３を構成する底板３１の下側に、当該下段引出し３に対して同じ方向に引出し、収納可能な棚板６を設けたので、下段引出し３の前方に鞄７等の物品を載置するスペースが新たに形成される。よって、天板１１上の邪魔になる位置に物品を載置したり、下肢空間Ａのアクセスし難い場所や引出し３、４内の狭小なスペースに物品を押し込むなどの不都合を解消して、鞄７等の物品のために適切な定位置を確保することが可能となる。また、床に近い高さ位置に鞄７等の物品を置くことができるので、座った状態でも物品の出し入れを容易に行うことができるようになる。
【００４０】
その際、下段引出し３を最大限に引き出した状態で始めて当該最下段引出し３の出し入れ方向と直交する方向に棚板６が引出し可能となるように構成することも考えられるが、本実施形態では下段引出し３の出し入れ方向に作動方向を一致させて、棚板６が、当該下段引出し３の引出し量のいかんに拘らずに引出し、収納可能としているので、下段引出し３の使用状態に影響されずに棚板６を利用することができ、使い勝手が格段に向上したものになる。
【００４１】
そして、棚板６は、反引出し端側６Ｙｂを棚板レール機構６４を介して筐体２０に支持されるとともに、引出し端６Ｙａ側をキャスタ６５を介して床に支持されるので、棚板６の円滑な出し入れ状態と、上載荷重に対する適切な支持強度とを確保することができる。
【００４２】
その棚板レール機構６４も、筐体２を構成する左右の側壁２１ａ、２１ｂの幅方向の内寸２Ｗ以内に収まっているので、引出し３を筐体２０に対して出し入れする動作の妨げにならない状態で棚板６を棚板レール機構６４とともに組み込むことができ、引出し３とともに筐体２０内に適切に収納することが可能となる。
【００４３】
同時にこの棚板レール機構６４は、筐体２を構成する左右の側壁２１ａ、２１ｂの高さ方向の内寸２Ｚ以内に収められている点でも、引出し３を筐体２０に対して出し入れする動作の妨げにならない状態で棚板６を棚板レール機構６４とともに組み込むことができ、引出し３とともに筐体２０内に適切に収納することが可能となる。
【００４４】
また、下段引出し３の荷重の一部を棚板６のキャスタ６５に間接的に支持させ得る構造をなしているので、上載荷重に対してより堅牢な構造を実現することができる。
【００４５】
さらに、引出し３、４の引き手３６、４６が鏡板３４、４４の側面に設定してあるので、引き出した棚板６上に鞄７等の物品が載置されていても引出し３、４に対する操作が可能であるため、棚板６に対する使用状態の継続性も担保することができる。
【００４６】
そして、収納位置にある棚板６を引出し３、４に背反的に係留または開放するプッシュラッチ６２と、棚板６を引出し３、４から突出する方向に押し付ける弾性体６３とを設けたので、棚板６を押し込むだけで係留を解除して飛び出させ、再び押し込むだけで収納位置に保持することができ、使い勝手が極めて簡便なものとなる。
【００４７】
その際、棚板６の引出し端側６Ｙａにバンパ６１が取り付けてあるので、足で蹴って出し入れ状態を切り替えることができ、操作性がより一層良好なものとなる。
【００４８】
そのバンパ６１は、棚板６の収納位置で、下段引出し３を構成する鏡板３４の前面から突出した状態にあるので、下段引出し３の鏡板３４を損傷することも有効に防止しておくことができる。このバンパ６１を、例えばインジェクション成型したバンパ本体の表面に軟質のゴムや発泡ゴム等の衝撃吸収素材を被着させて構成しておけば、バンパ６１人の体が衝突しても痛みを与えないようにしておくことができ、棚板６を引き出した状態でも安全に使用できる状態を確保することができる。
【００４９】
さらに、バンパ６１に、棚板６に対して幅方向、上下方向等に突出した部位を設け、その突出した部位の背面を、指を掛けて棚板６を引き出すための操作部６１ａ、６１ｂ等に設定しているので、足だけでなく指でも引出し可能となり、引出し量の再調整をしたり、プッシュラッチが上載荷重や床との抵抗などでうまく作動しない場合等に補助的に利用することができる。
【００５０】
なお、各部の具体的構成は、上述した実施形態のみに限定されるものではない。
【００５１】
例えば、上記実施形態では、引出しの段組みが引出し３、４の２段で構成されていたが、これに限らず、３段、４段など、筐体２０に収納可能な範囲内で段組を適宜に設定することができる。
【００５２】
また、図７に示すように、棚板６の反引出し端側６Ｙｂを支持する位置に第２転動体である第２キャスタ６７を追加することで、上載荷重を適切に分散させることも有効である。このようにすれば、引出し端側６Ｙａに設けたキャスタ６５への負担を減らして棚板６をより引き出し易くすることができ、引出し収納装置全体の構造をさらに堅牢にすることが可能になる。
【００５３】
さらに、上記実施形態のバンパ７の一部を棚板６の上面から突出させれば、鞄等の物品が棚板６からこぼれ落ちることを防止する有効な手立てとなり得る。
【００５４】
その他、引出し式収納装置の一つである袖机の袖部分に本発明を適用するなど、本発明の趣旨を逸脱しない範囲で種々変形が可能である。
【符号の説明】
【００５５】
３…最下段引出し（下段引出し）
４…上段引出し
５…引出しレール機構
６…棚板
２０…筐体
２Ａ…収納部
２Ｗ…幅方向の内寸
２Ｚ…高さ方向の内寸
３１…底板
３４、４４…鏡板
３６、４６…引き手
６１…バンパ
６２…プッシュラッチ
６３…弾性体
６４…棚板レール機構
６５…転動体（キャスタ）
６７…第２転動体（第２キャスタ）
６Ｙａ…引出し端側
６Ｙｂ…反引出し端側
２１ａ、２１ｂ…側壁
３２ａ、３２ｂ…左右の側板
６１ａ、６１ｂ…操作部
【図１】
0005561818.tif 000002
【図２】
0005561818.tif 000003
【図３】
0005561818.tif 000004
【図４】
0005561818.tif 000005
【図５】
0005561818.tif 000006
【図６】
0005561818.tif 000007
【図７】
0005561818.tif 000008